(57)【特許請求の範囲】
【請求項１】
吸収体を含むシート積層体が前後に２つ折りされ、その両側縁部がそれぞれ接合されて、ウエスト開口部及び一対のレッグ開口部が形成されてなる使い捨てパンツであって、
上記両側縁部がそれぞれ内方に折り込まれて、この各折り込み基部の外面同士が相互にホットメルト接着剤又は／及びヒートシールにより接合されるとともに、この接合部分で各折り込み部分が前後方向にそれぞれ折り返されて、この各折り返し部の先端側内面が上記シート積層体の内面にそれぞれホットメルト接着剤又は／及びヒートシールにより接合されていることを特徴とする使い捨てパンツ。
【請求項２】
上記シート積層体は、通気性を有する肌面側シートと外面側シートとでなり、上記吸収体は、液透過性のトップシートと液不透過性のバックシートとの間に、高吸収性ポリマーを主体として不織布基材上に固定した薄型シート状を呈する吸収性コアが介設されて、バックシートが肌面側シートの上面に接合固定されている請求項１記載の使い捨てパンツ。
【請求項３】
請求項１または２に記載の使い捨てパンツを製造する方法であって、
肌面側シートと外面側シートとからなるシート積層体を、肌面側シートが外側となり、外面側シートが内側となるように２つ折りする工程と、
折り返されたシート積層体の外面側シートどうしを、シート積層体の両側縁部の折り込み基部となる位置で接合する工程と、
シート積層体の両側縁部をそれぞれ外側に折り返し、折り返した両側縁部の肌面側シートを、肌面側シートに接合する工程と、
シート積層体を、肌面側シートが内側となり、外面側シートが外側になるように裏返す工程とを有することを特徴とする使い捨てパンツの製造方法。
【発明の詳細な説明】
【０００１】
【発明の属する技術分野】
本発明は、両側縁部の接合構造を工夫した使い捨てパンツに関する。
【０００２】
【従来の技術】
図７（ａ）に示すように、一般的な使い捨てパンツ１は、吸収体２を含むシート積層体３が前後に２つ折りされ、その両側縁部３ａがそれぞれ接合されて、ウエスト開口部４及び一対のレッグ開口部５が形成されるとともに、これらの開口部４，５の周囲にゴム製の伸縮性弾性糸６ａ，６ｂを添設することによって、ウエスト用ギャザーとレッグ用ギャザーがそれぞれ形成されるようになる。
【０００３】
【発明が解決しようとする課題】
上記のような使い捨てパンツ１において、図７（ａ）（ｂ）に示したように、シート積層体３の両側縁部３ａをそれぞれ外方に突出させて、ヒートシール等で接合するものがあるが、両側縁部３ａが外方突出状態となっているため、外観性が損なわれるとともに手触りも悪いという問題がある。
【０００４】
また、図７（ｃ）に示したように、シート積層体３の両側縁部３ａをそれぞれ内方に突出させてヒートシール等で接合するものもあるが、両側縁部３ａが内方突出状態となっているため、両側縁部３ａにごつごつ感があり、このような使い捨てパンツ１を長時間装着していると、内方に突出した両側縁部３ａが肌に当たって痛く、不快感を生じることとなり、風合い、装着感が悪いという問題がある。
【０００５】
【発明が解決しようとする課題】
本発明は、上記問題を解消するためになされたもので、外観性、手触り、風合い、装着感のいずれもが良好となるように両側縁部の接合構造を工夫した使い捨てパンツを提供することを目的とするものである。
【０００６】
【課題を解決するための手段】
上記課題を解決するために、本発明は、吸収体を含むシート積層体が前後に２つ折りされ、その両側縁部がそれぞれ接合されて、ウエスト開口部及び一対のレッグ開口部が形成されてなる使い捨てパンツであって、
上記両側縁部がそれぞれ内方に折り込まれて、この各折り込み基部の外面同士が相互に接合されるとともに、各折り込み部分が前後方向にそれぞれ折り返されて、この各折り返し部の先端側内面が上記シート積層体の内面にそれぞれ接合されていることを特徴とする使い捨てパンツを提供するものである。
【０００７】
本発明によれば、前後に２つ折りしたシート積層体の両側縁部を接合するに際して、両側縁部をそれぞれ内方に折り込み、この各折り込み基部の外面同士を相互に接合することにより、パンツ横方向の耐剥離力を確保するとともに、各折り込み部分を前後方向にそれぞれ折り返し、この各折り返し部の先端側内面をシート積層体の内面にそれぞれ接合することにより、各折り返し部がパンツ内面に扁平に沿うようになる。
【０００８】
上記シート積層体は、通気性を有する肌面側シートと外面側シートとでなり、上記吸収体は、液透過性のトップシートと液不透過性のバックシートとの間に、高吸収性ポリマーを主体として不織布基材上に固定した薄型シート状を呈する吸収性コアが介設されて、バックシートが肌面側シートの上面に接合固定されている構成とするのが好ましい。
【０００９】
上記接合は、ホットメルト接着剤による接合又は／及びヒートシールによる接合であるのが好ましい。
【００１０】
【発明の実施の形態】
以下、本発明の実施の形態を図面を参照して詳細に説明する。
【００１１】
図１（ａ）は使い捨てパンツの斜視図、図１（ｂ）は図１（ａ）のＡ−Ａ線拡大断面図、図２（ａ）、（ｂ）は接合構造の部分拡大断面図、図３（ａ）〜（ｃ）は接合要領の分解断面図、図４は展開状態の正面図、図５は分解斜視図である。
【００１２】
図４及び図５に示すように、使い捨てパンツ１１は、外面側シート１２と肌面側シート１３とでなるシート積層体１６と、吸収体１４とで基本構成されている。
【００１３】
上記外面側シート１２は液透過性または撥水化による液不透過性であり、肌面側シート１３は液透過性であって、両シート１２，１３はいずれも少なくとも通気性を有する合成繊維不織布でパンツ型形状に形成されている。なお、外面側シート１２と肌面側シートは、いずれも通気性を有する合成樹脂フィルムであっても良い。
【００１４】
上記両シート１２，１３には、前腹部（前身頃）Ｐと後背部（後身頃）Ｑとの間の股部Ｒの両側にはレッグ開口部Ｓがそれぞれ形成されるとともに、前腹部Ｐと後背部Ｑとの間の上部にはウエスト開口部Ｔ（図１参照）が形成されるようになる。
【００１５】
上記外面側シート１２の前腹部Ｐと後背部Ｑの上面には、幅方向に伸長状態で複数本のウエスト用弾性糸１５ａが添設されていると共に、各レッグ開口部Ｓの周縁に沿って長さ方向に伸長状態で複数本のレッグ用弾性糸１５ｂがそれぞれ添設されている。上記ウエスト用弾性糸１５ａの前腹部Ｐ、後背部Ｑへの添設ならびにレッグ用弾性糸１５ｂのレッグ開口部Ｓへの添設は、複数本の弾性糸を並列状に並べて伸長状態でその上下面から不織布等の布帛で挟み接合固定した長尺伸縮状物（リボン状弾性帯）を上記各部位に固定することによって各部位を伸縮性のあるギャザー状とすることができる。また、上記リボン状弾性帯を用いる場合とは異なって、レッグ用弾性糸１５ｂを外面側シート１２上にサインカーブ状に導き接続固定してレッグ開口部Ｓに伸縮性ギャザーを形成する手段も無論採用できる。この方式の場合、上記レッグ用弾性糸１５ｂは、幅方向に伸長状態で股部Ｒを横切るように添設され、この添設の後に股部Ｒのレッグ用弾性糸１５ｂのみがカッターで切断されて、股部Ｒに収縮力が作用しないようにすることが好ましい。上記各弾性糸１５ａ，１５ｂは、帯状や糸状の天然ゴムまたは合成ゴムで形成されている。なお、外面側シート１２の前腹部Ｐと後背部Ｑの上面に、幅方向に伸長状態で複数本のボディフイット用弾性糸を添設しても良い。
【００１６】
上記肌面側シート１３の幅は外面側シート１２と同じ外形状であるが、長さは外面側シート１２よりも短い外形状に形成されて、レッグ用弾性糸１５ｂを挟み込んだ状態で外面側シート１２に接着されている。
【００１７】
上記ウエスト用弾性糸１５ａは、外面側シート１２の前後端部の折り返し部１２ａの間に挟み込んだ状態で接着されている。
【００１８】
上記吸収体１４の吸収性コア１４ａは、高吸収性ポリマーを主体として不織布基材上に固定した薄型シート状を呈するものであり、その上面が透液性トップシート１４ｂで覆われるとともに下面が不透液性バックシート１４ｃで覆われて、その周縁部がシールされた構造になっている（特願２０００−１７５６６３号参照）。この吸収体１４は、バックシート１４ｃが肌面側シート１３の上面に固定されている。なお、吸収性コア１４ａは、天然パルプ繊維、合成樹脂繊維や高吸収性樹脂材料などを混合または積層したものが扁平な砂時計形状に成形され、外周が薄葉紙で包まれたものでも良い。なお、吸収体１４は、外面側シート１２と肌面側シート１３との間に固定しても良い（おむつタイプ）。
【００１９】
上記外面側シート１２の前後端部の折り返し部１２ａは、吸収体１４の部分では吸収体１４のトップシート１４ｂの上面に接着されるとともに、肌面側シート１３の部分では肌面側シート１３の上面に接着されるようになる。
【００２０】
そして、吸収体１４を含むシート積層体１６を股部Ｒを境にして前後に２つ折りして、次述のように、前腹部Ｐと後背部Ｑの両側縁部１６ａをそれぞれ接合することにより、図１の使用状態に組み立てられるようになる。
【００２１】
この前腹部Ｐと後背部Ｑの両側縁部１６ａの接合は、図２（ａ）に示すように、前腹部Ｐと後背部Ｑの両側縁部１６ａをそれぞれ内方に折り込み、この各折り込み基部１６ｂの外面である外面側シート１２同士を相互にホットメルト接着剤（又はヒートシール）ａで縦方向に接合する。これにより、使い捨てパンツ１１の横方向の耐剥離力が確保されるようになる。
【００２２】
ついで、各折り込み部分を前後方向にそれぞれ折り返し（矢印ｃ参照）、この各折り返し部１６ｃの先端側内面である肌面側シート１３を、シート積層体１６の内面である肌面側シート１３にそれぞれホットメルト接着剤（又はヒートシール）ｂで縦方向に接合する（図１（ｂ）と図２（ｂ）参照）。これにより、各折り返し部１６ｃがパンツ内面に扁平に沿うようになる。この使い捨てパンツ１１の横方向の耐剥離力は、０．２〜０．８Ｋｇ／ｃｍ程度が適当である。
【００２３】
上記のように構成した使い捨てパンツ１１においては、両側縁部１６ａが外方に突出しないため、外観性や手触りが良好になり、また、両側縁部１６ａが内方に突出しないために、ごつごつ感がなくなり、長時間装着しても不快感を生じなくなって、風合い、装着感も良好になる。
【００２４】
上記前腹部Ｐと後背部Ｑの両側縁部１６ａの接合は、図３のようにして行うのが実際的である。即ち、シート積層体１６を股部Ｒを境にして前後に２つ折りする際に、図３（ａ）のように、肌面側シート１３が外側となり、外面側シート１２が内側となるように２つ折りして、シート積層体１６の両側縁部１６ａの折り込み基部１６ｂとなる外面側シート１２同士を相互にホットメルト接着剤ａで縦方向に接合し、ついで、図３（ｂ）のように、両側縁部１６ａをそれぞれ外側に折り返し（矢印ｃ参照）、この折り返した両側縁部１６ａの肌面側シート１３を、肌面側シート１３にそれぞれホットメルト接着剤ｂで縦方向に接合した後に、図３（ｃ）のように、肌面側シート１３が内側となり、外面側シート１２が外側となるように裏返せば良い。
【００２５】
上記実施形態では、前腹部Ｐと後背部Ｑの両側縁部１６ａの接合をホットメルト接着剤ａ，ｂでおこなったが、ヒートシールによる接合の場合には、前腹部Ｐと後背部Ｑの両側縁部１６ａの接合は、図６（ａ）に示すように、前腹部Ｐと後背部Ｑの両側縁部１６ａをそれぞれ内方に折り込み、この各折り込み基部１６ｂの外面である外面側シート１２同士を相互にヒートシールａで縦方向に接合する。この場合、使い捨てパンツ１１の横方向の耐剥離力として０．２〜０．８Ｋｇ／ｃｍ程度を確保するために、接合幅Ｗは、２〜１０ｍｍ程度が良く、２ｍｍ未満であれば耐剥離力が不足し、１０ｍｍを越えると、接合部分の硬さが増して肌触りが悪くなる。
【００２６】
ついで、後背部Ｑ側の折り込み部分とともにヒートシールａの部分を後背部Ｑの方向に折り返し（矢印ｃ参照）、図６（ｂ）に示すように、この後背部Ｑ側の折り返し部１６ｃの先端側内面である肌面側シート１３を、シート積層体１６の内面である肌面側シート１３にホットメルト接着剤ｂで縦方向に接合するとともに、前腹部Ｐ側の折り返し部１６ｃの先端側内面である肌面側シート１３を、シート積層体１６の内面である肌面側シート１３にホットメルト接着剤ｂで縦方向に接合する。これにより、各折り返し部１６ｃがパンツ内面に扁平に沿うようになる。なお、ヒートシールａの部分を前腹部Ｐの方向に折り返すようにしても良い。
【００２７】
上記各接合は、連続した線状である必要はなく、断続した線状、あるいは長さ方向のドット、横方向線や斜め方向線の組み合わせなどであっても良い。
【００２８】
【発明の効果】
以上の説明からも明らかなように、本発明は、両側縁部がパンツ内面に扁平に沿うようになるから、両側縁部が外方に突出しないため、外観性や手触りが良好になり、また、両側縁部が内方に突出しないために、ごつごつ感がなくなり、長時間装着しても不快感を生じなくなって、風合い、装着感も良好になる。
【図面の簡単な説明】
【図１】  本発明にかかる使い捨てパンツであり、（ａ）は斜視図、（ｂ）は（ａ）のＡ−Ａ線に相当する断面図である。
【図２】  （ａ）（ｂ）は、両側縁部の接合構造の部分拡大断面図である。
【図３】  （ａ）〜（ｃ）は、ホットメルト接着剤による両側縁部の接合要領の分解断面図である。
【図４】  使い捨てパンツの展開状態の正面図、
【図５】  使い捨てパンツの分解斜視図である。
【図６】  （ａ）（ｂ）は、ヒートシールによる両側縁部の接合構造の部分拡大断面図である。
【図７】  従来の使い捨てパンツであり、（ａ）は斜視図、（ｂ）（ｃ）はそれぞれ（ａ）のＢ−Ｂ線に相当する断面図である。
【符号の説明】
１１    使い捨てパンツ
１２    外面側シート
１３    肌面側シート
１４    吸収体
１６    シート積層体
１６ａ  両側縁部
１６ｂ  折り込み基部
１６ｃ  折り返し部
Ｐ      前腹部
Ｑ      後背部
Ｓ      レッグ開口部
Ｔ      ウエスト開口部
ａ，ｂ  接合
【図１】
0004540215.tif 000002
【図２】
0004540215.tif 000003
【図３】
0004540215.tif 000004
【図４】
0004540215.tif 000005
【図５】
0004540215.tif 000006
【図６】
0004540215.tif 000007
【図７】
0004540215.tif 000008